(57)【特許請求の範囲】
【請求項１】
受発光素子を配設したベースと、前記受発光素子の上方に転動自在に配設される球体と、前記ベースに嵌着するカバーからなり、前記球体の移動により前記受発光素子を開閉して傾きを検知する傾斜スイッチにおいて、前記ベースの内底面に柔軟部材にて形成した仕切板を配設し、該仕切板に中心部から外側に向って徐々に高背となる非連続突出部を植設し、該非連続突出部の段差によってすり鉢状の傾斜を形成するとともに、前記仕切板を前記ベースと前記カバー間で挟持するよう配設したことを特徴とする傾斜スイッチ。
【発明の詳細な説明】
【０００１】
【発明の属する技術分野】
本発明は、機器の傾きや転倒状態を検知して電力を遮断するために設けられる傾斜スイッチに関する。
【０００２】
【従来の技術】
従来、球体の転がりを利用した傾斜スイッチは、図７のように凹面や、すり鉢形状の受皿面を球体が転動して検出する光学式のものがある。
【０００３】
【発明が解決しようとする課題】
従来、球体の転がりを利用した傾斜スイッチは球体が跳ね上がり易く、僅かな振動や衝撃等で誤信号を発生することがあり、補正回路を別に設ける必要があった。
また、球体がスイッチ本体内部で自在に転動するため、ノイズが発生していた。
さらに、反射面を持つ球体の表面が外部環境により腐食したり、汚染されないように傾斜スイッチ本体を密閉構造とする必要があり、パッキンなどシール部材を別途設ける必要があった
本発明はこうした課題を解決するために発明されたものである。
【０００４】
【課題を解決するための手段】
本発明は上記の問題点を解決するために、受発光素子を配設したベースと、前記受発光素子の上方に転動自在に配設される球体と、前記ベースに嵌着するカバーからなり、前記球体の移動により前記受発光素子を開閉して傾きを検知する傾斜スイッチにおいて、前記ベースの内底面に柔軟部材にて形成した仕切板を配設し、該仕切板に中心部から外側に向って徐々に高背となる非連続突出部を植設し、該非連続突出部の段差によってすり鉢状の傾斜を形成するとともに、前記仕切板を前記ベースと前記カバー間で挟持するよう配設する。
【０００５】
【発明の実施の形態】
本発明の傾斜スイッチは、ベースの内底面に柔軟部材にて形成した仕切板を配設し、この仕切板に中心部から外側に向って徐々に高背となる非連続突出部を植設し、非連続突出部の段差によってすり鉢状の傾斜を形成するとともに、前記仕切板を前記ベースと前記カバー間で挟持するよう配設することにより、球体の必要以上の転動や跳ね上がりを抑制するとともに、柔軟部材で形成した仕切板上に前記非連続突出部を形成することにより、傾斜スイッチ本体を容易に密閉構造にすることができるため、安価で品質に優れた傾斜スイッチを提供することができる。
さらに、従来の傾斜スイッチのように凹面や、すり鉢面等連続した面で球体を受けないため、万一、内部結露や摩耗粉の発生があってもそれらの影響を最小限に食い止めることができる。
【０００６】
【実施例】
以下、本実施例について図面を参照しながら説明する。
図１は本発明の傾斜スイッチの第１実施例を表す正面断面図、図２はその分解斜視図、図３はその傾斜状態を表す断面図である。
【０００７】
これらの図において、有底の円柱状に形成されたベース１１には底面から一端を導出するとともにその他方をベース１１内部に露出して端子１３が固定されている。この露出した部分に受発光素子端子１５が溶接されて前記ベース１１の中央部に受発光素子１４が固定される。
【０００８】
そしてエラストマ等の柔軟部材で形成された円盤状の仕切板５が受発光素子１４上に配置され、さらにその上部に球体４が転動自在に載置されている。
仕切板５には略中央部に前記受発光素子１４の光路となる穴部９が穿設されるとともに外周に鍔状に挟持部１０が形成され、さらに上面には略円錐状の非連続突出部６、７、８が外周方向に向かって順次高くなるように形成されている。
【０００９】
カバー１は椀を伏せた状態でこれら上方から被せられ、カバー１に設けた係合突起３をベース１１の係合穴１２に嵌合すると同時に仕切板５の挟持部１０をベース１１とカバー１で圧接した状態で本発明の傾斜スイッチが完成する。
なお、前記カバー１の内部上面中央部には凸部２が形成されており、傾斜スイッチの天地が反転した際に球体４がカバー１中央部に停滞しないよう配慮されている。
【００１０】
このように構成された本発明の傾斜スイッチは、球体４の転動を受ける部分が柔軟部材にて形成された非連続突出部６、７、８からなる、多点にて構成されるため、球体４の弾みを抑制してノイズを防止することができるとともに、球体４の不安定移動をも抑止することができる特徴を有する。
【００１１】
図４は球体４が激しく弾かれて仕切板５に当接した状態を表している。非連続突出部７、８が球体４を柔軟に受け止めることにより球体４の弾みを抑止し、球体４の衝突による破損等も防止することができる。
【００１２】
また万一、外気温の急激な変化によって傾斜スイッチ内部に結露が発生しても非連続突出部６、７、８の先端部は結露の水滴が滞留し難く、球体４の転動に悪影響を及ぼす危険性がない。
【００１３】
さらに、球体４とカバー１との衝突による摩耗粉や組立て工程にて侵入する塵埃等も図４に示すように非連続突出部６、７、８の根元に堆積するため、従来の傾斜スイッチのように球体４の転動により、仕切板５の穴部９に塵埃等が集結して受発光素子１４の上面に堆積することもない。
【００１４】
加えて、仕切板５の挟持部１０をカバー１とベース１１にて圧接する構成としたので、他にシール部材等を用いることなく、傾斜スイッチ全体を密閉構造とすることができるという優れた特徴を有する。
従って、外部環境により球体４表面が腐食することがなく、品質の良い傾斜スイッチを安価に提供することができる。
【００１５】
図５及び図６は他の実施例を表す非連続突出部２６、２７、２８、４６、４７、４８、４９の平面パターン図である。
黒塗り部分が非連続突出部２６、２７、２８、４６、４７、４８、４９を表し、共に同心円弧状の非連続突出部２６、２７、２８、４６、４７、４８、４９を形成した事例であり、前記実施例と同一の効果を有することができる。
その他にも様々な形成パターンが考えられるが、本発明はこれらの応用展開を排除するものではない。
【００１６】
【発明の効果】
以上、詳細に説明したように、本発明によれば、次のような効果を奏することができる。
（１）受発光素子を配設したベースと、前記受発光素子の上方に転動自在に配設される球体と、前記ベースに嵌着するカバーからなり、前記球体の移動により前記受発光素子を開閉して傾きを検知する傾斜スイッチにおいて、前記ベースの内底面に柔軟部材にて形成した仕切板を配設し、該仕切板に中心部から外側に向って徐々に高背となる非連続突出部を植設し、該非連続突出部の段差によってすり鉢状の傾斜を形成するとともに、前記仕切板を前記ベースと前記カバー間で挟持するよう配設したので、球体の弾みを抑制してノイズを防止することができるとともに、球体の不安定移動をも抑止することができる。
（２）柔軟部材にて形成した仕切板をベースとカバー間で挟持するよう配設したので、別途にシール部材等を用いることなく、傾斜スイッチ全体を密閉構造とすることができる。
（３）ベースの内底面に柔軟部材にて形成した仕切板を配設し、仕切板に中心部から外側に向って徐々に高背となる非連続突出部を植設したので、球体が激しく弾かれて仕切板に衝突しても非連続突出部が球体を柔軟に受け止めることにより球体の弾みを抑止し、球体の衝突による破損等も防止することができる。
（４）ベースの内底面に柔軟部材にて形成した仕切板を配設し、仕切板に中心部から外側に向って徐々に高背となる非連続突出部を植設し、非連続突出部の段差によってすり鉢状の傾斜を形成したので、外気温の急激な変化によって傾斜スイッチ内部に結露が発生しても非連続突出部の先端部は結露の水滴が滞留し難く、球体の転動に悪影響を及ぼす危険性がない。
（５）ベースの内底面に柔軟部材にて形成した仕切板を配設し、仕切板に中心部から外側に向って徐々に高背となる非連続突出部を植設し、非連続突出部の段差によってすり鉢状の傾斜を形成したので、摩耗粉や組立て工程にて侵入する塵埃等が球体の転動により、仕切板の穴部に集結して受発光素子の上面に堆積することがない。
【図面の簡単な説明】
【図１】  本発明の傾斜スイッチの第１実施例を表す正面断面図である。
【図２】  本発明の傾斜スイッチの第１実施例を表す分解斜視図である。
【図３】  本発明の傾斜スイッチの第１実施例の傾斜状態を表す断面図である。
【図４】  本発明の傾斜スイッチの球体が仕切板に当接した状態を表す部分断面図である。
【図５】  本発明の傾斜スイッチの他の実施例を表す非連続突出部の平面パターン図である。
【図６】  本発明の傾斜スイッチの他の実施例を表す非連続突出部の平面パターン図である。
【図７】  従来の傾斜スイッチを表す断面図である。
【符号の説明】
１、６１    カバー
２    凸部
３    係合突起
４、６４    球体
５、２５、４５    仕切板
６、７、８、２６、２７、２８、４６、４７、４８、４９    非連続突出部
１０    挟持部
１１、７１    ベース
１２    係合穴
１３    端子
１４、７４    受発光素子
１５    受発光素子端子
【図１】
0004266063.tif 000002
【図２】
0004266063.tif 000003
【図３】
0004266063.tif 000004
【図４】
0004266063.tif 000005
【図５】
0004266063.tif 000006
【図６】
0004266063.tif 000007
【図７】
0004266063.tif 000008